(57)【要約】【課題】電波捕獲時の電力消費状況をユーザに通知することができ、かつ電池残量を考慮した電波捕獲時の動作をする通信端末を提供する。【解決手段】電波受信部１０１と、電波受信部による電波捕獲時の電力消費状況を報知する報知部１０２，１０３，１０８，１０５，１０７と、電池寿命に対応して設定された設定情報により前記電波受信部による電波捕獲時の動作を制御する制御部１０６，１０８，１０２を備えたことを特徴とする。【選択図】  図１
2004297278.tif 000002
【特許請求の範囲】
【請求項１】
電波受信部と、該電波受信部による電波捕獲時の電力消費状況を報知する報知部と、電池寿命に対応して設定された設定情報により前記電波受信部による電波捕獲時の動作を制御する制御部を備えたことを特徴とする通信端末。
【請求項２】
請求項１記載の通信端末において、前記報知部は、画面に表示するバッテリピクトの色を電池の消費速度状況に応じて変えるものであることを特徴とする通信端末。
【請求項３】
請求項１記載の通信端末において、前記電波受信部は、良好な電波を探すために電波捕捉を繰り返すものであり、前記制御部は、電波捕捉の繰り返す動作を制御することを特徴とする通信端末。
【請求項４】
請求項１記載の通信端末において、前記設定情報は、入力部より入力された設定情報であることを特徴とする通信端末。
【請求項５】
電波の捕獲処理を行い、捕獲が失敗した場合に再捕獲動作を繰り返し、再捕獲回数が所定回数より少ない場合に、端末の電池残量を演算し、電池残量演算結果と電池寿命に対応して設定された設定情報に基づいて次の再捕獲の有無を決める判定処理を行い、再捕捉処理を行わない判定がされた際は、その旨を通知する処理を行うことを特徴とする通信端末の通信制御方法。
【請求項６】
請求項５記載の通信端末の通信制御方法において、再捕獲回数が所定回数以上になった場合には、再捕獲動作を終えることを特徴とする通信端末の通信制御方法。
【請求項７】
請求項５載の通信端末の通信制御方法において、捕獲が失敗した時刻から所定時間以上経過した場合には、再捕獲動作を終えて再捕捉回数を初期化することを特徴とする通信端末の通信制御方法。
【発明の詳細な説明】
【０００１】
【発明の属する技術分野】
本発明は、電波捕捉時の消費電力を制御する通信端末および通信端末の通信制御方法に関する。
【０００２】
【従来の技術】
携帯電話や携帯情報端末に代表される無線通信技術を利用した通信端末は、各所に配置された基地局を介して交換機に接続され、これにより通信ネットワークに接続されて他の端末等と音声通話やデータ通信を行うことができるようになっている。
【０００３】
しかし、サービスエリア外では電波は届かず通信不能となる。また、通信サービスエリア内の電波状況でも全ての地点で同質というわけではなく、同一のサービスエリア内でも電波状況の良い場所と悪い場所が混在する。さらに、一つの基地局がカバーするカバーエリアの境界と他の基地局によるカバーエリアとの境界とが交わる地点や、一つの基地局がカバーするカバーエリアの境界付近にあって他の基地局によるカバーエリアとは重ならないエリアでは、電波状況が悪い場合が存在する。
【０００４】
ところで、このようなサービスエリア内外に問わず電波状況が悪い場合には、携帯通信端末の動作として、待ち受け中や通話中に良好な電波を探す目的で、電波捕捉を繰り返す場合がある。この場合には連続的な捕捉動作のため、通常より多くの電力を消費することとなる。また、通信する基地局との距離が遠い場合には、通信端末の電力消費は大きくなる。
【０００５】
電波状況が悪く、サービス圏外において、移動端末機の使用状況に応じたバッテリーセービングを実現するものが知られている（例えば、特許文献１参照）。また、電界が弱くなったことを音により通知し、ユーザにとって会話を中断することなく、使用者は事前に弱電界エリアに入ったことを知る方法も知られている（例えば、特許文献２参照）。
【０００６】
【特許文献１】
特開平９−２７５５８７号公報
【特許文献２】
特開２００１−３２６７０８号公報
【０００７】
【発明が解決しようとする課題】
上述のように従来は、電波状況が悪い場合には、良好な電波を探す目的で電波捕捉を繰り返して、通常より多くの電力を消費してしまい、ユーザが知らない間に電池が消費されている場合がある。ユーザによっては、電池残量が多い場合には電池を消費しても良好な通信を探したい場合や、電池残量が少ない場合には電波が良好になってから通信可能な電源を確保するためにできる限り電池残量を保持したい場合もある。この場合に、電池残量を加味した電波状況を通知して、ユーザの使い勝手を改善する余地がある。
【０００８】
特許文献１に記載の従来技術では、サービス圏外時には電源制御を行い設定したタイマ動作中は電力供給を中断して、情報制御の間欠動作をすることで電池の消費を回避することに留まる。この技術では、サービス圏外時に良好な電波を受信しようと繰り返し捕捉処理をして電流を消費していることをユーザは認識できない。さらに、電池残量が少ない場合には電波が良好になってから通信可能な電源を確保するためにできる限り電池残量を保持したいユーザにとっては、電池の消耗は防ぐことができる。しかし、電池残量が多い場合には電池を消費しても通信可能状態を探したいユーザにとっては、捕捉動作を実施できず、さらに特許文献１動作時にはサービス圏外時なので端末は通信できない状況であり、捕捉動作は無駄になってしまい上述した問題を解消することはできない。
【０００９】
特許文献２に記載の従来技術では、電界が弱くなったことを音により、使用者は移動機が弱電界エリアに入ったことを知ることができることに留まる。この技術では、電界が弱くなってきて通信端末が良好な電波を受信しようと繰り返し捕捉処理をして、どれ程の電流を消費しているかをユーザは認識できない。さらに、電池残量に関わらず弱電界エリアに入ったことを通知するが、電池残量が多い場合には電池を消費しても通信可能状態を持続したいというユーザにとっては余計な通知となってしまうことがあり、上述した問題を解消することはできない。
【００１０】
本発明の目的は、電波捕獲時の電力消費状況をユーザに通知することができ、かつ電池残量を考慮した電波捕獲時の動作をする通信端末を提供することにある。
【００１１】
本発明の他の目的は、電池残量を考慮した電波捕獲時の動作をする通信端末の通信制御方法を提供することにある。
【００１２】
【課題を解決するための手段】
本発明は、電波受信部と、該電波受信部による電波捕獲時の電力消費状況を報知する報知部と、電池寿命に対応して設定された設定情報により前記電波受信部による電波捕獲時の動作を制御する制御部を備えたことを特徴とする通信端末である。
【００１３】
本発明は、上記記載の通信端末において、前記報知部は、画面に表示するバッテリピクトの色を電池の消費速度状況に応じて変えるものであることを特徴とする通信端末である。
【００１４】
本発明は、上記記載の通信端末において、前記電波受信部は、良好な電波を探すために電波捕捉を繰り返すものであり、前記制御部は、電波捕捉の繰り返す動作を制御することを特徴とする通信端末である。
【００１５】
本発明は、上記記載の通信端末において、前記設定情報は、入力部より入力された設定情報であることを特徴とする通信端末である。
【００１６】
本発明は、電波の捕獲処理を行い、捕獲が失敗した場合に再捕獲動作を繰り返し、再捕獲回数が所定回数より少ない場合に、端末の電池残量を演算し、電池残量演算結果と電池寿命に対応して設定された設定情報に基づいて次の再捕獲の有無を決める判定処理を行い、再捕捉処理を行わない判定がされた際は、その旨を通知する処理を行うことを特徴とする通信端末の通信制御方法である。
【００１７】
本発明は、上記記載の通信端末の通信制御方法において、再捕獲回数が所定回数以上になった場合には、再捕獲動作を終えることを特徴とする通信端末の通信制御方法である。
【００１８】
本発明は、上記記載の通信端末の通信制御方法において、捕獲が失敗した時刻から所定時間以上経過した場合には、再捕獲動作を終えて再捕捉回数を初期化することを特徴とする通信端末の通信制御方法である。
【００１９】
【発明の実施の形態】
本発明の実施の形態に係る通信端末は、電波を介して通信ネットワークの情報を受信する電波受信部と、自機を駆動させるための電池と、電池の残量を演算する電池残量演算部と、電波受信部の情報と電池残量演算部の情報を使用して通信動作の制御を行う通信制御部と、文字や絵を表示してユーザに情報を通知する表示画面と、ユーザに情報を通知するための情報通知装置と、ユーザが端末の動作を選択する操作のための入力装置と、通信制御部と表示画面、情報通知装置への出力と入力装置からの入力を制御するユーザインタフェースとを備えている。
【００２０】
ここで、「通信端末」としては、例えば、携帯電話や携帯情報端末、データ通信機能が利用可能なパーソナルコンピュータやカーナビゲーション装置等のコンピュータ装置を挙げることができる。また、ここでの通信端末は、端末内部に現時刻がわかる時計を搭載している。
【００２１】
電池残量演算部は、端末に搭載された電池の低減率から、現在の電池消費率を演算するもので、さらに、端末に搭載された電池の電圧から、端末の電池残量を示す数値を演算することもできる。
【００２２】
電池の低減率は、単位時間当りの電池電圧の減少量を測定しても良いし、あらかじめ用意した各機能の単位時間当りの駆動消費電力テーブルを利用して、現在の電池電圧から、各機能を利用した場合の残駆動時間を演算する方法等も考えられる。現在の電池電圧から通信端末の残りの駆動時間（待ち受け時間、連続通話時間、平均駆動時間）を演算する。
【００２３】
ここで、平均駆動時間とは、待ち受けや通話、インターネットを閲覧するブラウザ機能、カメラ機能、動画・音楽再生録画機能等の多くのユーザが一般的に利用するサービスの統計的な利用時間と、その時の一定時間消費電流から割り出される。
【００２４】
端末動作の電池残量を示す仕組みとしては、例えば、現在、携帯電話やノート型パーソナルコンピュータに使われている電池の残量を段階的に表示するものが良く見受けられる。方式としては、４段階程度のバッテリピクトが利用されている。満充電時はバッテリピクトが３個点灯し、未充電中には、バッテリピクトが２個、１個、０個と減少していく電池残量表示である。
【００２５】
通信制御部は、電波状況が悪い場合には、良好な電波を受信するために捕捉動作を繰り返す仕組みを有する。さらに、ユーザが設定した電池残量に関連したモードに従い、再捕捉を繰り返すかどうかを判定する再捕捉フラグ判定処理を行う。判定の結果、再捕捉フラグがＯＮになった場合には、再捕捉を繰り返す。判定の結果、再捕捉フラグがＯＦＦになった場合には、再捕捉を中止して電池の消耗を抑える動作に移行する。
【００２６】
さらに、通信制御部には、再捕捉の回数を管理して、再捕捉を長時間繰り返し続けて電池を消耗するの防ぐ仕組みを有する。再捕捉の回数Ｒを数えて、所定の設定回数Ｍを超えた場合には再捕捉を中止する。さらに、再捕捉に関しては、電波強度が不安定な場所で連続して捕捉を失敗するのではなく、失敗と成功を繰り返す場合がある。１回でも捕捉成功した時に再捕捉回数をクリアすると、再捕捉回数Ｒが設定回数Ｍをいつになっても越えない状況に陥る可能性がある。この対策として、最後に捕捉を成功した時刻から所定時間以上経たないと再捕捉回数をクリアしない仕組みを有する。
【００２７】
入力装置には、キー入力や音声入力、バーコードやスキャナ等による画像情報なども利用することが可能である。
【００２８】
電池には、電源装置から供給される電源電圧を利用することも可能である。
【００２９】
情報通知装置には、スピーカ、バイブレーション、発光ランプ等の通信端末自身がユーザに通知することが可能である。
【００３０】
さらに、情報通知装置には、無線ＬＡＮ、Ｂｌｕｅｔｏｏｔｈ等の無線により他の通信機器に情報を通知することも可能である。また、有線により他の機器に情報を通知することも可能である。
【００３１】
表示画面には、文字や絵、動画によりユーザに情報を通知することが可能である。
【００３２】
ユーザインタフェースには、ユーザが設定した情報を通信制御部に通知する出力と情報を表示画面と情報通知装置へ通知する出力と入力装置からの入力を有し、入出力装置の情報を制御可能である。ユーザは入力装置を利用して、設定を入力し、表示画面や情報通知装置で情報を確認することが可能である。
【００３３】
さらに、ユーザインタフェースは、ユーザに情報を通知する方法を表示画面のみで行うか、情報通知装置のみで行うか、表示画面と情報通知装置を組み合わせて行うかの制御を選択可能である。
【００３４】
以下、本発明の実施形態を，図１〜図８を参照しつつ詳細に説明する。
【００３５】
まず、図１は、本発明の実施の形態に係る通信端末の構成を示すブロック図である。
【００３６】
電波受信部１０１は、通信基地局などからの無線を利用した電波を受信するもので、受信した情報を通信制御部に送信する。
【００３７】
通信制御部１０２は、端末の通信処理を制御するもので、基地局からの情報と端末内部の情報を利用して、待ち受け動作、音声通話やデータ通信を制御することができる。ここで、端末内部の情報とは、後述するユーザインタフェース１０８内部に管理されているユーザ設定情報及び通信制御に必要な各種設定情報である。
【００３８】
通信制御部１０２は、電波受信部１０１で良好な電波強度を受信している場合は、電波を正しく捕捉して、通信の発着信を受付ける待ち受け処理や音声通話処理、データ通信処理や端末の消費電力を抑えるスリープ動作が可能である。電波受信部１０１での電波受信状況が悪い場合には、良好な電波を受信するために、所定回数もしくは、所定時間、電波の捕捉処理を繰り返す。
【００３９】
この電波の捕捉処理を繰り返す場合には、通信制御部１０２内で、後述する図２のフローに従い動作する。
【００４０】
電池残量演算部１０３は、電池１０４から端末に供給されている現在の電池電圧を必要に応じて測定できる仕組みを備え、さらに、端末に搭載された電池の低減率から、現在の電池消費率を演算するもので、また、端末に搭載された電池１０４の電圧から、端末の電池残量を示す数値を演算するものである。
【００４１】
端末動作の電池残量を示す仕組みとしては、例えば、現在、携帯電話やノート型パーソナルコンピュータに使われている電池の残量を段階的に表示するのを利用する。良く見受けられる方式としては、４段階程度のバッテリピクトが利用されている。満充電時はバッテリピクトが３個点灯し、未充電中には、バッテリピクトが２個、１個、０個と減少していく電池残量表示である。現在の電池１０４の電池電圧での上記電池残量表示するための仕組みを利用して、端末の電池残量を示す数値と近似して利用することも可能である。
【００４２】
また、他の方法としては、あらかじめ用意した各機能の単位時間当りの駆動消費電力テーブルを利用して、現在の電池電圧から、各機能を利用した場合の残駆動時間を演算する方法等も考えられる。
【００４３】
ここでは、電池残量演算部１０３の動作例として、バッテリピクト本数を利用した動作フローを図４に示す。
【００４４】
電池１０４は、端末に電源を供給するもので、端末に搭載している電池や電源を供給可能な電源装置を利用できる。
【００４５】
表示画面１０５は、液晶や有機ＥＬ等を用いたディスプレイパネルであり、文字や絵、動画を表示できるものであり、処理結果情報をユーザに通知することが可能である。
【００４６】
入力装置１０６は、キー入力や音声入力、バーコードやスキャナ等による画像情報などを利用できる装置であり、これを利用して、ユーザは端末の動作を選択するための情報を入力することができる。
【００４７】
情報通知装置１０７は、スピーカ、バイブレーション、発光ランプや無線ＬＡＮ、Ｂｌｕｅｔｏｏｔｈ等の外部に情報を発信する装置である。スピーカ、バイブレーション、発光ランプは、端末から直接ユーザに情報を発信するものであり、端末の近くにいるユーザに情報を通知するのに有効である。無線ＬＡＮ、Ｂｌｕｅｔｏｏｔｈ（登録商標）等は、無線を利用して周囲の他の通信機器やネットワークに情報を通知できるものである。例えば、オフィスでパーソナルコンピュータに向かい仕事をしている間に、カバンに入れてある通信端末が情報を発信した場合に、無線ＬＡＮやＢｌｕｅｔｏｏｔｈを介して情報を送信して、使用しているパーソナルコンピュータに通信端末からの情報を通知することで、パーソナルコンピュータに向かい仕事をしているユーザに情報を通知することができる。
【００４８】
ユーザインタフェース１０８は、通信制御部１０２、表示画面１０５、入力装置１０６、情報通知装置１０７との入出力インタフェースを有し、入出力装置の情報を制御することができる。
【００４９】
入力装置１０６を利用してユーザは設定情報を端末に入力し、その情報をユーザインタフェース１０８に送り、ユーザ設定情報として管理する。ユーザインタフェース１０８は、そのユーザ設定情報を必要なタイミングで通信制御部１０２に通知するか必要なタイミングで通信制御部１０２から読み出すことが可能である。
【００５０】
さらに、ユーザインタフェース１０８は、通信制御部１０２の図２のフロー中で判定し、出力する警告通知を受信することができる。ユーザインタフェース１０８は、この警告通知を受信した際には、ユーザ設定もしくはデフォルトで設定してある情報に基づき、表示画面１０５と情報通知装置１０７を介して、ユーザに警告通知を行うことができる。
【００５１】
ここでユーザ設定もしくはデフォルトで設定してある情報とは、例えば、表示画面１０５を利用して警告情報を指定した文字や絵、動画等でユーザに通知する設定や、情報通知装置１０７を利用して音やバイブレーション、発光ランプで通知する設定や、情報通知装置１０７において無線ＬＡＮ、Ｂｌｕｅｔｏｏｔｈ等を利用して、ユーザのパーソナルコンピュータやネットワークに通知する設定や、表示画面１０５と情報通知装置１０７を組み合わせて音と絵とさらに無線ＬＡＮ、Ｂｌｕｅｔｏｏｔｈ等を利用してユーザのパーソナルコンピュータへ通知するような組み合わせ設定等様々な設定が考えられる。
【００５２】
次に、図２は、通信制御部１０２（図１）により実行される通信制御の処理を示す。なお、図中では、ステップを「Ｓ」と略記する。
【００５３】
本処理は、例えば、通信端末が無線電波を捕捉する際に開始される。
【００５４】
まず、電波受信部１０１（図１）を制御して通信電波の捕捉処理を行う（Ｓ２０１）。捕捉処理が成功した場合は（Ｓ２０２：ＹＥＳ）、後述する再捕捉回数Ｒを初期化する処理を行い（Ｓ２０３）、その後、本処理を終了し、待ち受け処理、音声通話処理、データ通信処理、端末の消費電力を抑えるスリープ動作等の通信端末の処理に移行する。再捕捉回数Ｒ初期化処理は、最後に捕捉処理に失敗した時刻が所定時間経過した場合には、再捕捉回数Ｒを“０”で初期化して、過去に実行した本通信制御の処理を初期化する処理である。
【００５５】
一方、捕捉処理が失敗した場合は（Ｓ２０２：ＮＯ）、捕捉失敗時刻Ｔ０を取得する（Ｓ２０４）。これは、後述する再捕捉回数Ｒの初期化処理（Ｓ２０３）に使用される。
【００５６】
その後、再捕捉回数Ｒと設定回数Ｍの大小を比較する。ここで、設定回数Ｍは、消費電力を抑える目的で利用し、再捕捉動作を繰り返す最大の回数である。再捕捉回数Ｒが設定回数Ｍより大きい場合には（Ｓ２０５：ＹＥＳ）、次の捕捉処理の準備として再捕捉回数Ｒの初期化処理を行う（Ｓ２０３）。そして、本処理を終了し、待ち受け処理、音声通話処理、データ通信処理、端末の消費電力を抑えるスリープ動作等の通信端末の処理に移行する。
【００５７】
再捕捉回数Ｒが設定回数Ｍ以下の場合には（Ｓ２０５：ＮＯ）、通信制御部１０２（図１）に要求して、端末の電池の残量から、端末に搭載された各機能の残駆動時間を演算する処理を行う（Ｓ２０６）。
【００５８】
ここで、再捕捉が発生した場合にユーザが設定した動作を実行する目的で、ユーザインタフェース１０８（図１）が管理しているユーザへの警告通知の設定情報を読み込む（Ｓ２０７）。
【００５９】
そして、電池残量演算結果とユーザ設定情報に基づいた動作をするために、次の再捕捉の有無を決めるフラグである再捕捉フラグ［ＯＮ／ＯＦＦ］判定処理を行い、再捕捉フラグの［ＯＮ／ＯＦＦ］を決定する（Ｓ２０８）。
【００６０】
次に再捕捉フラグがＯＮであるかどうかを判定する。再捕捉フラグがＯＮの場合には（Ｓ２０９：ＹＥＳ）、再捕捉回数Ｒをインクリメントして（Ｓ２１０）、再度、電波情報を捕捉する処理（Ｓ２０１）に移行する。この処理の流れで、捕捉失敗が続き、Ｓ２０５の処理で、再捕捉回数Ｒが再捕捉を行う最大回数Ｍを越えた場合には（Ｓ２０５：ＹＥＳ）、本処理が終了することとなる。
【００６１】
再捕捉フラグがＯＦＦの場合には（Ｓ２０９：ＮＯ）、ユーザインタフェース１０８（図１）に対して警告を通知する処理を行う（Ｓ２１１）。その後、次の捕捉処理の準備として再捕捉回数Ｒの初期化処理を行い（Ｓ２０３）、本処理を終了し、待ち受け処理、音声通話処理、データ通信処理、端末の消費電力を抑えるスリープ動作等の通信端末の処理に移行する。
【００６２】
次に、図３は、図２で示した再捕捉回数Ｒ初期化（Ｓ２０３）により実行される処理を示す。この処理は、所定時間Ｔ内に再捕捉が繰り返し発生した場合にのみ、図２の通信制御の処理を行うことを目的とする。
【００６３】
まず、以前捕捉に失敗した時刻Ｔ０から現時刻までの経過時間測定のために、端末内部に存在する時計を利用して、現在の時刻Ｔ１を取得する（Ｓ３０１）。以前捕捉に失敗した時刻Ｔ０から現時刻までの経過時間（Ｔ１−Ｔ０）が所定時間Ｔ以上経過していた場合には（Ｓ３０２：ＹＥＳ）、再捕捉回数Ｒを“０”で初期化して、過去に実行した本通信制御の処理を初期化する（Ｓ３０３）。これにより、次回の捕捉処理時には、所定時間Ｔ以内の再捕捉処理とは異なり、再捕捉回数Ｒが初期値“０”から開始されるこことなる。
【００６４】
一方、以前捕捉に失敗した時刻Ｔ０から現時刻までの経過時間（Ｔ１−Ｔ０）が所定時間Ｔ以内である場合には（Ｓ３０２：ＮＯ）、電波状況が悪く、再捕捉動作を繰り返す可能性が高い。この場合、ユーザ設定情報に従い動作をするように、インクリメントされたＲを利用するために初期化をしない。
【００６５】
次に、図４は、電池残量演算部１０３（図１）により実行される端末を駆動するための電池の残容量を示す数値の演算処理を示す。本処理は、図２に示した通信制御の処理の電池残量演算（Ｓ２０６）が実行された際に開始される。
ここでは、例として、電池残量を示す数値を４段階のバッテリピクトの本数を演算する仕組みを説明するために、電池残量演算部１０３には、バッテリピクトの本数を演算するための設定値Ｖ１、Ｖ２、Ｖ３（Ｖ１＞Ｖ２＞Ｖ３）を備えているものとする。
まず、現在、電池から端末に供給されている電池電圧Ｖを測定する（Ｓ４０１）。次に電池電圧Ｖをバッテリピクトの本数を演算するための設定値Ｖ１、Ｖ２、Ｖ３と比較する。電池電圧Ｖが設定値Ｖ１以上である場合には（Ｓ４０２：ＹＥＳ）、充電が十分されている状態を示すバッテリピクト本数ＢＴ＝３が演算されることになる（Ｓ４０５）。
【００６６】
電池電圧Ｖが設定値Ｖ１より小さい場合には（Ｓ４０２：ＮＯ）、さらに電池電圧Ｖを設定値Ｖ２と比較し、電池電圧Ｖが設定値Ｖ２以上である場合には（Ｓ４０３：ＹＥＳ）、電池が多少消費されていることを示すバッテリピクト本数ＢＴ＝２が演算されることになる（Ｓ４０６）。
【００６７】
電池電圧Ｖが設定値Ｖ２より小さい場合には（Ｓ４０３：ＮＯ）、さらに電池電圧Ｖを設定値Ｖ３と比較し、電池電圧Ｖが設定値Ｖ３以上である場合には（Ｓ４０４：ＹＥＳ）、電池が多く消費されていることを示すバッテリピクト本数ＢＴ＝１が演算されることになる（Ｓ４０７）。
【００６８】
電池電圧Ｖが設定値Ｖ３より小さい場合には（Ｓ４０４：ＮＯ）、電池残量が殆どないことを示すバッテリピクト本数ＢＴ＝０が演算されることになる（Ｓ４０８）。
【００６９】
次に、図５は、図２に示した通信制御の処理における、設定モード毎の再補足フラグ判定処理（Ｓ２０８）が実行された際の処理を示す。ここでは、ユーザが都合に合わせて効率良く電力を消費するために設定したモードに合わせた動作を選択する処理である。ここでは、ユーザもしくはデフォルトで選択できる設定モードが１〜ＮのＮ個ある場合の例を示す。
【００７０】
まず、ユーザ選択もしくはデフォルトで選択してある電池残量を考慮した端末動作の設定モードを判定する。設定モードが“１”である場合に（Ｓ５０１：ＹＥＳ）、電池残量演算部１０３（図１）により実行される端末を駆動するための電池の残容量を示す数値の演算処理（図４）で算出されるバッテリピクトの本数ＢＴを調べる（Ｓ５０４）。各ＢＴの数に対応した再補足フラグのＯＮ／ＯＦＦのリスト（Ｓ５０７）に従い、再補足フラグのＯＮ／ＯＦＦを行う。例えば、Ｓ５０４で現在のバッテリピクトがＢＴ＝２の場合に、Ｓ５０７で設定テーブルを参照して、再補足フラグをＯＮにする。
【００７１】
設定モードが“１”でない場合に（Ｓ５０１：ＮＯ）、設定モードが“２”であるかを調べる。設定モードが“２”である場合に（Ｓ５０２：ＹＥＳ）、バッテリピクトの本数ＢＴを調べ（Ｓ５０５）、各ＢＴの数に対応した再補足フラグのＯＮ／ＯＦＦのリスト（Ｓ５０８）に従い、再補足フラグのＯＮ／ＯＦＦを行う。
【００７２】
これと同様に、設定モードが“Ｎ”である場合に（Ｓ５０３：ＹＥＳ）、バッテリピクトの本数ＢＴを調べ（Ｓ５０６）、各ＢＴの数に対応した再補足フラグのＯＮ／ＯＦＦのリスト（Ｓ５０９）に従い、再補足フラグのＯＮ／ＯＦＦを行う。このように、設定モードが１〜Ｎまでの全ての設定に対して、電池残量を考慮した再補足方法を実行できることになる。
【００７３】
図６は、表示画面１０５（図１）のみに文字を表示して、ユーザに電波状況を通知する手段の例である。例えば、通信端末６０１の表示画面１０５に、「電波状況が悪く、電力消費が早いので、端末の置き場所を変えて下さい！」という文字を表示する。
【００７４】
図７は、表示画面１０５（図１）と情報通知装置１０７（図１）のスピーカを利用して、ユーザに電波状況を通知する手段の例である。例えば、通信端末７０１の表示画面１０５には、電波状況が悪いことを伝える表示すると共に、通信端末７０１のスピーカからは、音声で「電波状況が悪く、電力消費が早いので、端末の置き場所を変えて下さい！」と発音する。
【００７５】
図８は、情報通知装置１０７（図１）の無線ＬＡＮやＢｌｕｅｔｏｏｔｈを利用して他の通信機器に端末の電波状況を通知する手段の例である。例えば、通信端末８０１からユーザが使用しているパーソナルコンピュータ８０２に通知してパーソナルコンピュータ８０２の表示画面８０２−１に「電波状況が悪く、電力消費が早いので、端末の置き場所を変えて下さい！」という文字を表示する。
【００７６】
図９は、電力の消費速度によってバッテリピクトの色を変える例である。例えば、電力の消費速度が大きい時は、（ａ）に示すように、通信端末９０１の表示画面１０５に表示のバッテリピクト９０１−１が赤色で表示され、電力の消費速度が通常時は、（ｂ）に示すように、通信端末９０２の表示画面１０５に表示のバッテリピクト９０２−１が黄色で表示され、電力の消費速度が遅い場合は、（ｃ）に示すように、通信端末９０３の表示画面１０５に表示のバッテリピクト９０２−１が青色で表示される。
【００７７】
なお、上述した本発明の各実施の形態は、本発明の説明のための例示であり、本発明の範囲を実施形態にのみ限定する趣旨ではない。当業者は、本発明の要旨を逸脱することなしに、他の様々な態様で本発明を実施できる。
【００７８】
【発明の効果】
本発明によれば、電波捕獲時の電力消費状況をユーザに通知することができ、かつ電池残量を考慮した電波捕獲時の動作をする通信端末を得ることができる。また本発明によれば、電池残量を考慮した電波捕獲時の動作をする通信端末の通信制御方法を得ることができる。
【図面の簡単な説明】
【図１】本発明の実施の形態に係る通子端末の全体構成を示すブロック図である。
【図２】図１の通信制御部内部で行われる処理を示すフローチャートである。
【図３】図１の通信制御部内部で行われる処理の中の再補足回数Ｒを初期化する処理を示すフローチャートである。
【図４】図１の電池残量演算部で行われる処理を示すフローチャートである。
【図５】図１の通信制御部内部で行われる処理の中の設定モード毎の再補足フラグ判定処理を示すフローチャートである。
【図６】端末の画面表示を利用してユーザに警告を促している画面例である。
【図７】端末の画面表示およびスピーカを利用した画面と音によりユーザに警告を促している例である。
【図８】端末が無線ＬＡＮやＢｌｕｅｔｏｏｔｈを利用してユーザが使用しているパーソナルコンピュータに警告を促している例である。
【図９】電力の消費速度によって、画面に表示するバッテリピクトの色を変える例である。
【符号の説明】
１０１：電波受信部、１０２：通信制御部、１０３：電池残量演算部：１０４：電池、１０５：表示画面、１０６：入力装置、１０７：情報通知装置、１０８：ユーザインタフェース、６０１，７０１，８０１，９０１，９０２，９０３：通信端末、８０２：パーソナルコンピュータ，８０２−１：表示画面、９０１−１，９０２−１，９０３−１：バッテリピクト。
【図１】
2004297278.tif 000003
【図２】
2004297278.tif 000004
【図３】
2004297278.tif 000005
【図４】
2004297278.tif 000006
【図５】
2004297278.tif 000007
【図６】
2004297278.tif 000008
【図７】
2004297278.tif 000009
【図８】
2004297278.tif 000010
【図９】
2004297278.tif 000011